(57)【特許請求の範囲】
【請求項１】
画像形成装置の本体に引き出し可能に装着される給紙カセットであって、
内部に用紙が収納されるカセット本体と、
前記カセット本体の内部に用紙の送り出し方向に沿って延びるように配置され、用紙の幅方向両端部に当接して用紙のセット位置を規制する１対の幅カーソル部材と、
前記１対の幅カーソル部材を用紙幅方向に移動可能に支持する支持部材と、
前記１対の幅カーソル部材で規制された用紙の送り出し方向角度を調整するための方向調整機構と、
を備え、
前記カセット本体は、引き出し方向の手前側に取り外し可能に装着された前カバーを有しており、
前記前カバーを取り外すことにより前記方向調整機構による調整が可能である、
給紙カセット。
【請求項２】
前記支持部材は用紙幅方向の一端部を支点として所定の角度範囲で揺動自在に前記カセット本体に支持されており、
前記方向調整機構は前記支持部材の前記カセット本体に対する角度を調整するものである、
請求項１に記載の給紙カセット。
【請求項３】
前記支持部材は用紙幅方向の他端部が用紙の送り出し方向に沿って移動可能であり、
前記方向調整機構は、前記支持部材の用紙幅方向他端部の用紙送り出し方向の位置を前記カセット本体に対して固定するための固定具である、
請求項２に記載の給紙カセット。
【請求項４】
前記１対の幅カーソル部材の両方を、用紙幅方向の同方向に移動させて、用紙幅方向における用紙の送り出し位置を調整するための位置調整機構をさらに備えている、請求項１から３のいずれかに記載の給紙カセット。
【請求項５】
前記支持部材は用紙幅方向に移動自在に前記カセット本体に支持されており、
前記位置調整機構は前記支持部材の前記カセット本体に対する用紙幅方向の位置を調整するものである、
請求項４に記載の給紙カセット。
【請求項６】
前記支持部材は、用紙幅方向の一端部に、用紙幅方向に沿って延びる長孔が形成されており、
前記カセット本体に固定され、前記支持部材の長孔に挿入された支持ピンをさらに備えている、
請求項５に記載の給紙カセット。
【請求項７】
前記カセット本体は、引き出し方向の手前側に取り外し可能に装着された前カバーを有しており、
前記前カバーを取り外すことにより前記位置調整機構による調整が可能である、
請求項４から６のいずれかに記載の給紙カセット。
【請求項８】
用紙に画像を形成する画像形成部と、
前記画像形成部に用紙を供給する給紙部と、
前記給紙部を介して前記画像形成部に供給する用紙を収納する請求項１から７のいずれかに記載の給紙カセットと、
前記画像形成部で画像が形成された用紙を排出する排紙部と、
を備えた画像形成装置。
【発明の詳細な説明】
【技術分野】
【０００１】
本発明は、画像形成装置及びその本体に装着される給紙カセットに関するものである。
【背景技術】
【０００２】
複写機等の画像形成装置には、画像形成される用紙を収納するための複数の給紙カセットが設けられている。この複数の給紙カセットは、通常、画像形成装置の下方に上下方向に並べて配置されており、画像形成装置の本体から引き出し可能になっている。各給紙カセットには、１対の幅カーソル部材が用紙幅方向に移動自在に設けられている。そして、給紙カセットに収納される用紙のサイズに応じて１対の幅カーソル部材を移動させ、用紙の両端に当接させて、用紙の幅方向の位置決めを行うとともに、給紙カセットからの用紙の送り出しを案内している。なお、ここで用紙の幅方向（用紙幅方向と称することもある）とは、用紙を給紙カセットから送り出す用紙搬送方向と直交する方向を指している。
【０００３】
以上のような給紙カセットを備えた画像形成装置では、画像形成装置本体側の複数のローラを含む給紙搬送機構の用紙幅方向の中心（以下、本体側搬送中心と記す）と、給紙カセット側の用紙幅方向の中心（以下、カセット側搬送中心と記す）とを一致させることが重要である。
【０００４】
しかし、前述のように、給紙カセットは画像形成装置本体から引き出し可能に構成されているので、両者を精度良く位置決めすることが困難であり、本体側搬送中心とカセット側搬送中心とが一致しないことが多い。
【０００５】
そこで、本体側搬送中心とカセット側搬送中心との不一致の程度が許容値内に納まるように、給紙カセットを画像形成装置本体から引き出し、用紙の積載位置を用紙幅方向に移動させて、カセット側搬送中心を調整できるようにした装置が提供されている。
【０００６】
このような調整機構を備えた従来技術として、特許文献１が挙げられる。この特許文献１の装置では、１対の幅カーソル部材を支持するレール部が設けられており、このレール部を長孔に沿って移動させることにより、レール部及びそれに支持された１対の幅カーソル部材の位置が調整される。これにより、カセット側搬送中心の位置を調整して、カセット側搬送中心を本体側搬送中心と一致させるように、あるいはお互いのずれが許容値内に納まるようにしている。
【特許文献１】特開２００２-２８４３６１号公報
【発明の開示】
【発明が解決しようとする課題】
【０００７】
前述の特許文献１に示された装置では、カセット側搬送中心を調整することができる。これにより、画像と用紙とが用紙幅方向に大きくずれるのを防止でき、画像形成が不完全になったり、あるいはフィニッシャのパンチ孔の位置が予定位置からずれたりすることを防止できる。
【０００８】
しかし、前述のような用紙の幅方向の位置だけではなく、画像形成装置の搬送系のローラ対と、給紙カセットに収納された用紙先端との平行度がずれている場合がある。このように、搬送系のローラ対と給紙カセット内の用紙先端の平行度が大きくずれている場合には、レジストローラ対でのレジスト補正の効果が十分に発揮できない。このため、用紙に対して画像が斜めに形成されたり、用紙にシワが発生したり、幅カーソル部材の端面に用紙が強く擦れたりする場合がある。
【０００９】
また、前記特許文献１の装置では、カセット側搬送中心を調整することが可能であるが、調整作業のためには給紙カセットを引き出して調整する必要があり、作業性が悪い。
【００１０】
本発明の課題は、画像の斜め写りや用紙のシワの発生、さらには用紙の損傷を抑えることにある。
【００１１】
本発明の別の課題は、カセット側搬送中心の調整の作業性、あるいは搬送系のローラ対に対する給紙カセット内の用紙先端の平行度の調整の作業性を改善することにある。
【課題を解決するための手段】
【００１２】
請求項１に係る給紙カセットは、画像形成装置の本体に引き出し可能に装着される給紙カセットであって、カセット本体と、１対の幅カーソル部材と、支持部材と、方向調整機構と、を備えている。カセット本体は内部に用紙が収納される。１対の幅カーソル部材は、カセット本体の内部に用紙の送り出し方向に沿って延びるように配置され、用紙の幅方向両端部に当接して用紙のセット位置を規制する。支持部材は１対の幅カーソル部材を用紙幅方向に移動可能に支持する。方向調整機構は１対の幅カーソル部材で規制された用紙の送り出し方向角度を調整するための機構である。カセット本体は、引き出し方向の手前側に取り外し可能に装着された前カバーを有しており、前カバーを取り外すことにより方向調整機構による調整が可能である。
【００１３】
この給紙カセットでは、カセット本体内に用紙が収納される。そして、支持部材に支持された１対の幅カーソル部材を用紙幅方向に移動させ、それぞれを用紙の両端に当接させることにより、用紙のセット位置が規制される。また、方向調整機構により、用紙の送り出し方向角度が調整される。
【００１４】
ここでは、方向調整機構により、カセット本体から用紙を送り出す方向（角度）を調整することができる。したがって、画像形成装置本体側の搬送系ローラ対に対する給紙カセット内の用紙先端の平行度を容易に調整することができ、画像の斜め写りやシワの発生を抑えることができるとともに、用紙が幅カーソル部材に強く押し当てられることによる損傷を抑えることができる。そして、カセット本体の前カバーを取り外すだけで、すなわち給紙カセットを画像形成装置から引き出すことなく用紙の送り出し方向角度を調整することができる。
【００１５】
請求項２に係る給紙カセットは、請求項１の給紙カセットであって、支持部材は用紙幅方向の一端部を支点として所定の角度範囲で揺動自在にカセット本体に支持されており、方向調整機構は支持部材のカセット本体に対する角度を調整するものである。
【００１６】
この給紙カセットでは、支持部材の一端部を支点として揺動させ、所定の角度位置で固定することにより、用紙の送り出し方向角度を容易に調整することができる。
【００１７】
請求項３に係る給紙カセットは、請求項２の給紙カセットであって、支持部材は用紙幅方向の他端部が用紙の送り出し方向に沿って移動可能であり、方向調整機構は、支持部材の用紙幅方向他端部の用紙送り出し方向の位置をカセット本体に対して固定するための固定具である。
【００１８】
この給紙カセットでは、支持部材を、その一端部を支点として揺動させることにより、他端部は用紙の送り出し方向に沿って移動することになる。ここで、厳密には、支持部材の他端部は一端部を支点として円弧を描くように移動する。しかし、通常、送り出し方向を調整するために揺動させる角度は微小であり、他端部が描く円弧状の軌跡を直線とみなしても問題のない範囲である。
【００１９】
そこで、この請求項の給紙カセットでは、支持部材の他端部を用紙送り出し方向に沿って移動可能とし、所定の角度分だけ揺動された、すなわち用紙送り出し方向に移動した支持部材の他端部を、方向調整機構としての固定具によりカセット本体に固定するようにしている。ここでは、簡単な構成で、用紙の送り出し方向角度を調整することができる。
【００２２】
請求項４に係る給紙カセットは、請求項１から３のいずれかに記載の給紙カセットであって、１対の幅カーソル部材の両方を、用紙幅方向の同方向に移動させて、用紙幅方向における用紙の送り出し位置を調整するための位置調整機
構をさらに備えている。
【００２３】
ここでは、用紙の送り出し方向だけでなく、用紙幅方向における送り出し位置をも調整することができるので、画像形成の品質がさらに向上するとともに、フィニッシャにおける処理の位置ズレ等も解消することができる。
【００２４】
請求項５に係る給紙カセットは、請求項４の給紙カセットであって、支持部材は用紙幅方向に移動自在にカセット本体に支持されており、位置調整機構は支持部材のカセット本体に対する用紙幅方向の位置を調整するものである。
【００２５】
ここでは、支持部材を用紙幅方向に移動させることにより、用紙幅方向の位置を調整することができる。
【００２６】
請求項６に係る給紙カセットは、請求項５の給紙カセットであって、支持部材は、用紙幅方向の一端部に、用紙幅方向に沿って延びる長孔が形成されており、カセット本体に固定され、支持部材の長孔に挿入された支持ピンをさらに備えている。
【００２７】
ここでは、支持部材を用紙幅方向に沿って移動させることができ、この支持部材の移動によって１対の幅カーソル部材が移動し、これにより用紙の幅方向の位置を調整することができる。
【００２８】
請求項７に係る給紙カセットは、請求項４から６のいずれかの給紙カセットであって、カセット本体は、引き出し方向の手前側に取り外し可能に装着された前カバーを有しており、前カバーを取り外すことにより位置調整機構による調整が可能である。
【００２９】
ここでは、カセット本体の前カバーを取り外すだけで、すなわち給紙カセットを画像形成装置から引き出すことなく用紙の幅方向の位置を調整することができる。
【００３０】
請求項８に係る画像形成装置は、用紙に画像を形成する画像形成部と、画像形成部に用紙を供給する給紙部と、給紙部を介して画像形成部に供給する用紙を収納する請求項１から７のいずれかに記載の給紙カセットと、画像形成部で画像が形成された用紙を排出する排紙部と、を備えている。
【発明の効果】
【００３１】
以上のような本発明では、画像の斜め写りや用紙のシワの発生、さらには用紙の損傷を抑えることができる。
【発明を実施するための最良の形態】
【００３２】
［全体構成］
図１に本発明の一実施形態による給紙カセットを備えた画像形成装置としての複写機１を示す。なお、図１は、複写機１の全体概略図であって、詳細は省略している。この複写機１は、原稿読み取り部２と、画像形成部３と、定着ユニット４と、排出部５と、用紙収納部６と、用紙裁断部７と、用紙搬送部８と、用紙搬送選択部９と、を有している。
【００３３】
原稿読み取り部２は、原稿の画像データを読み取るための部分であって、コンタクトガラス２１と、図示しないカバーとを有している。この原稿読み取り部２では、コンタクトガラス２１上に原稿を載置した後にカバーを閉じ、複写命令のためのキーを押すことで、コンタクトガラス２１上の原稿の画像データを読み取ることが可能である。
【００３４】
画像形成部３は、原稿読み取り部２で読み取られた原稿の画像データに基づいて用紙に画像を形成するための部分であって、主に、感光体ドラム３１と、レーザユニット３２と、現像器３３とを有している。感光体ドラム３１は、画像データに基づいて静電潜像が表面に形成される部材であって、円筒状の部材である。レーザユニット３２は感光体ドラム３１上にレーザ光を照射するための部材である。現像器３３は、感光体ドラム３１の表面にトナーを供給するものであり、感光体ドラム３１に近接して配置されている。現像器３３の内部にはトナーが収納されており、感光体ドラム３１と対向して現像ローラが配置されている。この現像ローラによって感光体ドラム３１の表面にトナーが供給される。
【００３５】
定着ユニット４は、画像形成部３の上方に配置されており、用紙に形成されたトナー像を定着させるための部分であって、互いに対向して配置された加熱ローラ及び加圧ローラを有している。
【００３６】
用紙収納部６は、画像形成部３に供給する用紙が収納されており、給紙カセット６１，６２と、バイパス給紙部６３とを有する。各給紙カセット６１，６２は装置の手前側（図１の紙面手前側）に引き出すことが可能である。
【００３７】
排出部５は、画像が形成された用紙を排出するための部分であって、複写機１の上部で、原稿読み取り部２の下方に配置されている。
【００３８】
用紙裁断部７は、不要な用紙を裁断するための部分であって、シュレッダー７１と、回収部７２とを備えている。用紙裁断部７は、２つの給紙カセット６１，６２に隣接して配置されている。シュレッダー７１は、２つの給紙カセット６１，６２又はバイパス給紙部６３に収納される用紙のうち所定の用紙を裁断するための部分である。回収部７２は、シュレッダー７１によって裁断された用紙を回収するための部分であって、シュレッダー７１の下方に配置されている。
【００３９】
用紙搬送部８は、用紙収納部６の用紙を用紙裁断部７又は画像形成部３に向けて搬送するものであり、用紙収納部６から用紙裁断部７及び排出部５まで延びている。用紙搬送部８には、レジストローラや搬送ローラが配置されており、通常は、用紙収納部６の用紙を画像形成部３、定着ユニット４、排出部５の順に搬送する。
【００４０】
用紙搬送選択部９は、用紙搬送部８に配置されており、用紙収納部６の用紙を、用紙裁断部７及び画像形成部３のいずれに搬送するかを選択する部分である。用紙搬送選択部９は、切り替え爪やソレノイド（図示せず）等を有している。
【００４１】
［給紙カセット］
次に給紙カセット６１，６２の詳細について、図面を参照しながら説明する。なお、２つの給紙カセット６１，６２の構成は同じであるので、ここでは、給紙カセット６１についてのみ説明する。
【００４２】
前述のように、給紙カセット６１は複写機本体から引き出し可能であり、図２は複写機本体から引き出した給紙カセット６１を示している。また、図３に、給紙カセット６１の一部を取り出して示している。この給紙カセット６１は、内部に用紙が収納されるカセット本体１００と、１対の幅カーソル部材１０１ａ，１０１ｂと、支持部材１０２（主に図３参照）と、を有している。
【００４３】
カセット本体１００は、上部が開口する箱状に形成されており、左右両端には引き出し用のガイドコロ１０５が設けられている。また、カセット本体１００の前部（手前側端部）には前カバー１０６が設けられており、前カバー１０６は、図４に模式的に示すように、図示しない係止構造あるいはビス等により、カセット本体１００のフレーム１００ａから容易に取り外すことが可能である。この前カバー１０６の手前側の面には、引き出し操作用の凹部１０６ａが形成されている。
【００４４】
１対の幅カーソル部材１０１ａ，１０１ｂは、カセット本体１００の内部に配置されており、用紙の送り出し方向（図１の右から左に向かう方向）に沿って延びるプレート状の部材である。この１対の幅カーソル部材１０１ａ，１０１ｂは、後述するように、支持部材１０２に対して、用紙送り出し方向と直交する用紙幅方向に移動自在に支持されている。そして、１対の幅カーソル部材１０１ａ，１０１ｂを用紙幅方向に移動させて、カセット本体１００内に収納された用紙の両端に接触させることにより、用紙のセット位置を決めることができる。また、この１対の幅カーソル部材１０１ａ，１０１ｂにより、用紙の送り出し方向をガイドすることができる。
【００４５】
支持部材１０２は、図３に拡大して示すように、また図７に模式的に示すように、用紙幅方向に延びるプレート状の部材である。この支持部材１０２は、装置奥側の端部に用紙幅方向に長い長溝１０２ａが形成され、また装置奥側における全長のほぼ半分の長さにわたって用紙幅方向に延びるガイド溝１０２ｂが形成され、さらに装置手前側における全長のほぼ半分の長さにわたって用紙幅方向に延びるガイド溝１０２ｃが形成されている。そして両ガイド溝１０２ｂ，１０２ｃに１対の幅カーソル部材１０１ａ，１０１ｂがそれぞれ移動自在に支持されている。また、この支持部材１０２の装置手前側端部には、鉛直方向の壁であるフランジ１０２ｄが形成されており、このフランジ１０２ｄにネジ孔１０２ｅが形成されている。
【００４６】
長溝１０２ａには、図７に示すように支持ピン１１０が挿通しており、支持ピン１１０の先端はカセット本体１００にねじ込み等により固定されている。一方、長溝１０２ａが形成された側と逆側の端部、すなわち装置手前側の端部には、図５及び図６に示すような調整機構１１２が設けられている。
【００４７】
調整機構１１２は、図５〜図７に示すように、用紙の送り出し方向角度を調整するための方向調整機構と、用紙幅方向における用紙の送り出し位置を調整するための位置調整機構とを含む機構である。以下、方向調整機構及び位置調整機構を併せて説明する。
【００４８】
調整機構１１２は、カセット本体１００のフレーム１００ａに固定された調整用のフランジ１１５を有している。調整用のフランジ１１５は、図５〜図７に示すように、フレームに１００ａに接触する下フランジ１１６と、下フランジ１１６の上部に設けられフレーム１００ａから装置手前側に離れた上フランジ１１７とを有している。なお、上フランジ１１７が設けられた部分のフレーム１００ａには開口が形成されており、この開口は支持部材１０２が通過可能な大きさである。なお、下フランジ１１６と上フランジ１１７とは１つのプレート部材により一体で形成されている。
【００４９】
下フランジ１１６は、用紙送り出し方向に延びて形成されており、長手方向の両端には用紙送り出し方向に長い長孔１１６ａが形成されている。そして、この２つの長孔１１６ａをそれぞれ通過する固定ネジ部材（固定具）１１８が、フレーム１００ａにねじ込みにより固定されるようになっている。すなわち、調整用フランジ１１５は長孔１１６ａが形成された範囲で、用紙送り出し方向に移動自在である。
【００５０】
一方、上フランジ１１７には、ネジの形成されていない比較的大きな孔１１７ａと、ネジ孔１１７ｂとが横方向に並べて形成されている。そして、孔１１７ａには位置調整用のネジ部材１２０が挿通している。ネジ部材１２０は頭部の直径が孔１１７ａの径より大きく、また先端部は支持部材１０２のフランジ１０２ｄに形成されたネジ孔１０２ｅに螺合している。
【００５１】
また、上フランジ１１７と支持部材１０２のフランジ１０２ｄとの間には、スプリング１２１が設けられている。さらに、上フランジ１１７のネジ孔１１７ｂにはストッパとしてのネジ部材１２２が螺合しており、その先端が支持部材１０２のフランジ１０２ｄに当接可能となっている。
【００５２】
以上のような構成により、支持部材１０２と調整用フランジ１１５とは、用紙送り出し方向には一体となって移動可能であり、また用紙幅方向には相対移動が可能である。
【００５３】
［複写動作］
まず、原稿を複写する動作について簡単に説明する。
【００５４】
原稿の画像を用紙に複写する場合には、先ず原稿読み取り部２に原稿をセットする。この状態で、複写キーなどの動作開始指示がなされると、原稿読み取り部２で原稿の画像データが読み取られる。読み取られた原稿の画像データは画像形成部３に送信され、この画像データに基づいて画像形成部３で画像が形成される。このとき操作者により選択された種類の用紙が用紙収納部６から用紙搬送選択部９に搬送される。
【００５５】
例えば、バイパス給紙部６３から用紙が搬送される場合は、バイパス給紙部６３からの用紙は、センサ等によって用紙の複写する側の面にすでに画像が形成されているか否かが検出される。印字されていない場合は、用紙搬送選択部９の搬送切換制御によって、用紙は画像形成部３側に搬送される。画像形成部３では用紙に画像が形成される。その後、定着ユニット４で画像が定着させられ、排出部５から排出される。
【００５６】
一方、用紙の複写する側の面にすでに画像が形成されている場合には、用紙搬送選択部９の搬送切換制御によって用紙はシュレッダー７１側に搬送される。ここでは、用紙はシュレッダー７１によって細かく裁断され、その後に回収部７２に回収される。なお、用紙搬送の切換制御や、用紙に画像が既に形成されているか否かの検出動作等については、本発明にとっては特に重要ではないので、ここでは詳細の説明を省略する。
【００５７】
［調整動作］
以上のような複写動作において、給紙カセット６１，６２から画像形成部３に供給される用紙の用紙送り出し方向がずれていたり、あるいは給紙カセット６１，６２における用紙幅方向の用紙の位置が給紙搬送系の位置とずれていたりする場合がある。このような場合は、以下のような操作によって、送り出し方向（角度）あるいは用紙幅方向の位置を調整することができる。以上の調整は、前カバー１０６を給紙カセット６１，６２から取り外すことによって、給紙カセット６１，６２を複写機本体から引き出すことなく行うことができる。
【００５８】
まず、用紙送り出し方向を調整する場合について説明する。支持部材１０２は、前述のように、装置奥側の端部が支持ピン１１０を中心に旋回自在であるので、支持ピン１１０の回りに支持部材１０２を旋回させることが可能である。すなわち、２本の固定ネジ部材１１８を緩めることにより、調整用フランジ１１５を用紙送り出し方向に移動させることができる。この調整用フランジ１１５と支持部材１０２とは、位置調整用のネジ部材１２０を介して用紙送り出し方向の移動については一体的になっている。したがって、調整用フランジ１１５を用紙送り出し方向に移動させることは、支持部材１０２を支持ピン１１０を中心に旋回することを意味し、この支持部材１０２の旋回によって、支持部材１０２に支持されている１対の幅カーソル部材１０１ａ，１０１ｂの用紙送り出し方向の角度が調整されることになる。
【００５９】
なお、支持部材１０２は装置奥側の端部を中心に旋回するので、支持部材１０２の装置手前側端部の移動軌跡は円弧になり、一方で調整用フランジ１１５の移動軌跡は直線であり、両者の軌跡は厳密には一致しない。しかし、調整用フランジ１１５の移動範囲は長孔１１６ａの形成された範囲であって、長さは短いので、支持部材１０２の移動軌跡はほぼ直線とみなすことができる。したがって、支持部材１０２ひいては１対の幅カーソル部材１０１ａ，１０１ｂの角度を無理なく調整することができる。
【００６０】
次に、用紙幅方向の位置調整について説明する。支持部材１０２は、前述のように、装置奥側の端部に長孔１０２ａが形成されているので、この長孔１０２ａの形成された範囲で、支持部材１０２を用紙幅方向に移動させることが可能である。
【００６１】
調整を行う場合は、まず、ストッパ用のネジ部材１２２を緩めて、支持部材１０２が用紙幅方向の両方向に移動可能な状態にしておく。そして、給紙カセット６１，６２内の用紙の幅方向位置を装置奥側に移動させたい場合は、調整用のネジ部材１２０を緩める。すると、上フランジ１１７と支持部材１０２のフランジ１０２ｄとの相対距離が長くなる。上フランジ１１７はカセット本体１００のフレーム１００ａに固定されているので、支持部材１０２の方が装置奥側に移動することになる。逆に、給紙カセット６１，６２内の用紙の幅方向位置を装置手前側に移動させたい場合は、調整用のネジ部材１２０を締める。すると、上フランジ１１７と支持部材１０２のフランジ１０２ｄとの相対距離が短くなる。上フランジ１１７はカセット本体１００のフレーム１００ａに固定されているので、支持部材１０２の方が装置手前側に移動することになる。
【００６２】
以上のようにして、支持部材１０２の角度及び位置を調整することによって、この支持部材１０２に支持された１対の幅カーソル部材１０１ａ，１０１ｂの角度及び位置を調整することができる。すなわち、給紙カセット６１，６２における用紙送り出し方向の角度調整及び用紙幅方向の位置調整を行うことができる。
【００６３】
［実施形態の効果］
以上のような本実施形態では、カセット本体１００から用紙を送り出す方向（角度）を調整することができる。したがって、画像形成装置本体側の搬送系ローラ対に対する給紙カセット内の用紙先端の平行度を容易に調整することができる。このため、画像の斜め写りやシワの発生を抑えることができ、かつ用紙が幅カーソル部材１０１ａ，１０１ｂに強く押し当てられることによる損傷を抑えることができる。
【００６４】
また、方向調整のための機構は、支持部材１０２の一端部を支点として揺動させ、所定の角度位置で固定するだけでよく、構成が簡単である。
【００６５】
さらに、方向及び位置の調整を、前カバー１０６を取り外すだけで、すなわち給紙カセット６１，６２を複写機本体から引き出すことなく行うことができるので、作業性が良好である。
【００６６】
また、方向調整のための機構と位置調整のための機構とを、１つの調整用フランジ１１５を用いて構成しているので、構成が簡単になる。
【００６７】
［他の実施形態］
用紙の送り出し方向を調整するための機構は、前記実施形態の構成に限定されるものではない。
【００６８】
また、方向調整のための機構と位置調整のための機構とを１つの調整用フランジとネジ部材により構成したが、これらの機構をそれぞれ別の部材を用いて構成してもよい。
【図面の簡単な説明】
【００６９】
【図１】本発明の一実施形態による給紙カセットが採用された複写機の断面構成図。
【図２】前記給紙カセットの斜視図。
【図３】給紙カセットの一部である１対の幅カーソル部材及び支持部材を示す図。
【図４】給紙カセットの側面概略断面図。
【図５】給紙カセットの調整機構部分を示す平面断面図。
【図６】前記調整機構の正面図。
【図７】給紙カセットの平面模式図。
【符号の説明】
【００７０】
６１，６２  給紙カセット
１００  カセット本体
１０１ａ，１０１ｂ  幅カーソル部材
１０２  支持部材
１０６  前カバー
１１０  支持ピン
１１２  調整機構
１１５  調整用フランジ
１１８  固定ネジ部材
【図１】
0005065929.tif 000002
【図２】
0005065929.tif 000003
【図３】
0005065929.tif 000004
【図４】
0005065929.tif 000005
【図５】
0005065929.tif 000006
【図６】
0005065929.tif 000007
【図７】
0005065929.tif 000008